(57)【特許請求の範囲】
【請求項１】
構造物の天井側に取り付ける取付部と、該取付部に一端側が保持される吊材と、該吊材の他端側を保持し前記吊材に吊持ちされる器具本体とを有する照明器具であって、
前記器具本体は、平面視において、中央部に開口孔を備えた平板状の枠部と該枠部の周縁から延設し前記枠部を介して対向する少なくとも一対の延部とを備えたボディ体と、前記延部の各々に設けられる平面状の面発光モジュールを覆うカバー体とを有し、
前記ボディ体は、前記面発光モジュールの発光面からの光を放射する貫通孔が前記延部の各々に貫設され前記発光面と反対の前記面発光モジュールの背面側が互いに近づく向きに前記延部が前記枠部に対して傾斜しており、
前記カバー体は、平板状の前記枠部の仮想垂線と傾斜する前記吊材の前記他端側を保持し且つ前記面発光モジュールの前記背面側に沿って前記延部と略平行に前記枠部側まで延びており、前記枠部に対して傾斜する角度で前記枠部に当接していることを特徴とする照明器具。
【請求項２】
前記面発光モジュールは、有機エレクトロルミネッセンス素子を有する発光部と、前記器具本体側に固定され且つ前記発光部を着脱自在に保持するベース部とを有することを特徴とする請求項１に記載の照明器具。
【発明の詳細な説明】
【技術分野】
【０００１】
本発明は、照明器具に関する。
【背景技術】
【０００２】
近年、照明用の光源として有機エレクトロルミネセンス素子（以下、有機ＥＬ素子ともいう）を利用した面発光光源が注目されている。有機ＥＬ素子は、比較的低電圧で高輝度の発光が可能であり、有機化合物の種類によって様々な発光色の光を放射することができる。また、面発光光源として、有機ＥＬ素子を有する平面状の面発光モジュールは、白熱電球や蛍光灯などの光源と比較して薄型で軽量とすることができる。そのため、面発光モジュールを利用した照明器具では、比較的にデザインの自由度が高く、照明器具全体として薄型で斬新な形状とすることが可能となる。
【０００３】
この種の照明器具として、図９に示す、有機ＥＬパネル１０５を有する器具本体１０６と、器具本体１０６を支持する支持パイプ１０７と、支持パイプ１０７を介して器具本体１０６を固定する固定部１０８とを備えたものが知られている（たとえば、特許文献１）。
【０００４】
特許文献１の照明器具１００は、照明器具１００が固定部１０８によって、室内の天井１０９に固定され、室内の床面に向かって各有機ＥＬパネル１０５から光が照射されるように構成されている。照明器具１００は、器具本体１０６が複数の有機ＥＬパネル１０５を有している。器具本体１０６は、支持フレーム１１１に配列された複数の有機ＥＬパネル１０５を覆うカバー部材１１２を有している。また、固定部１０８には、複数の有機ＥＬパネル１０５の点灯を制御する制御回路１１３が設けられている。さらに、固定部１０８には、各有機ＥＬパネル１０５に電力を供給するための電源回路１１４が設けられている。制御回路１１３および電源回路１１４は、電気的に接続されており、天井１０９に固定されている。照明器具１００では、各有機ＥＬパネル１０５と、電源回路１１４や制御回路１１３とを電気的に接続する配線が支持パイプ１０７に挿通されている。
【０００５】
特許文献１の照明器具１００では、有機ＥＬパネル１０５を使用することによって、平面状の発光が得られ、全体の薄型化が図られ、外観を簡素に構成することができるとしている。
【先行技術文献】
【特許文献】
【０００６】
【特許文献１】特開２００９−１７０２４９号公報
【発明の概要】
【発明が解決しようとする課題】
【０００７】
しかしながら、上述の照明器具１００では、面発光モジュールたる有機ＥＬパネル１０５を備えた器具本体１０６全体を室内の床面と平行に天井に固定している。そのため、照明器具１００は、視認者が床面側から器具本体１０６を視認した場合、照明器具１００全体が薄型化されていることを視認者が十分に認識することができなかった。
【０００８】
本発明は上記事由に鑑みて為されたものであり、その目的は、より器具全体の薄型化を視認者に認識させることが可能な照明器具を提供することにある。
【課題を解決するための手段】
【０００９】
本発明の照明器具は、構造物の天井側に取り付ける取付部と、該取付部に一端側が保持される吊材と、該吊材の他端側を保持し上記吊材に吊持ちされる器具本体とを有する照明器具であって、上記器具本体は、平面視において、中央部に開口孔を備えた平板状の枠部と該枠部の周縁から延設し前記枠部を介して対向する少なくとも一対の延部とを備えたボディ体と、上記延部の各々に設けられる平面状の面発光モジュールを覆うカバー体とを有し、上記ボディ体は、上記面発光モジュールの発光面からの光を放射する貫通孔が上記延部の各々に貫設され上記発光面と反対の上記面発光モジュールの背面側が互いに近づく向きに上記延部が上記枠部に対して傾斜しており、上記カバー体は、平板状の上記枠部の仮想垂線と傾斜する上記吊材の上記他端側を保持し且つ上記面発光モジュールの上記背面側に沿って上記延部と略平行に上記枠部側まで延びており、上記枠部に対して傾斜する角度で上記枠部に当接していることを特徴とする。
【００１０】
この照明器具において、上記面発光モジュールは、有機エレクトロルミネッセンス素子を有する発光部と、上記器具本体側に固定され且つ上記発光部を着脱自在に保持するベース部とを有することが好ましい。
【発明の効果】
【００１１】
本発明の照明器具においては、より器具全体の薄型化を視認者に認識させることが可能となる。
【図面の簡単な説明】
【００１２】
【図１】本実施形態の照明器具を説明する説明断面図である。
【図２】本実施形態の照明器具を示す底面図である。
【図３】本実施形態の照明器具を示す外観斜視図である。
【図４】本実施形態の照明器具の要部を示す平面図である。
【図５】本実施形態の照明器具の要部を示す底面図である。
【図６】本実施形態の照明器具に用いられる面発光モジュールを示す分解斜視図である。
【図７】本実施形態の照明器具に用いられる面発光モジュールを示す側面説明図である。
【図８】本実施形態の照明器具と比較のための照明器具を説明する説明断面図である。
【図９】従来の照明器具を示す透視側面図である。
【発明を実施するための形態】
【００１３】
以下、本実施形態の照明器具１０について、図１ないし図５を用いて説明し、照明器具１０に用いられる面発光モジュール１について、図６および図７を用いて説明する。なお、図１では、照明器具１０の構造を分かり易くするため、一部破断して図示している。
【００１４】
本実施形態の照明器具１０は、図１に示すように、構造物の天井側に取り付ける取付部４と、取付部４に一端５ａ側が保持される吊材５と、吊材５の他端５ｂ側を保持し吊材５に吊持ちされる器具本体６とを有している。器具本体６は、平面視において、中央部に開口孔７ａａを備えた平板状の枠部７ａと枠部７ａの周縁から延設し枠部７ａを介して対向する少なくとも一対の延部７ｂとを備えたボディ体７を有している（図２を参照）。また、器具本体６は、延部７ｂの各々に設けられる平面状の面発光モジュール１を覆うカバー体８を有している。ここで、ボディ体７は、面発光モジュール１の発光面１ａａからの光を放射する貫通孔７ｂａが延部７ｂの各々に貫設されている。また、ボディ体７は、発光面１ａａと反対の面発光モジュール１の背面１ａｂ側が互いに近づく向きに延部７ｂが枠部７ａに対して傾斜している。さらに、カバー体８は、平板状の枠部７ａの仮想垂線Ｖと傾斜する吊材５の他端５ｂ側を保持し且つ面発光モジュール１の背面１ａｂ側に沿って延部７ｂと略平行に枠部７ａ側まで延びている。なお、仮想垂線Ｖは、平板状の枠部７ａの主面と平行な平面に対して垂直に設けられている。
【００１５】
これにより、本実施形態の照明器具１０は、より器具全体の薄型化を視認者に認識させることが可能となる。
【００１６】
ところで、本出願人は、面発光モジュール１の薄型且つ軽量にすることができるという特徴を活かし、図８に示すように、白熱電球や蛍光灯などと比較して照明器具全体を薄型化させた照明器具１１を構成した。なお、図８では、照明器具１１の構造を分かり易くするため、一部破断して図示している。
【００１７】
照明器具１１は、構造物の天井側に取り付ける取付部４と、取付部４の保持金具９ｃに一端５ａ側が保持される吊材５と、吊材５の他端５ｂ側を保持し吊材５に吊持ちされる器具本体６とを有している。器具本体６は、平面視において、中央部に開口孔７ａａを備えた平板状の枠部７ａと枠部７ａの周縁から延設し枠部７ａを介して対向する少なくとも一対の延部７ｂとを備えたボディ体７を有している。また、器具本体６は、延部７ｂの各々に設けられる平面状の面発光モジュール１を覆うカバー体８を有している。ここで、ボディ体７は、面発光モジュール１の発光面１ａａからの光を放射する貫通孔７ｂａが延部７ｂの各々に貫設されている。また、ボディ体７は、発光面１ａａと反対の面発光モジュール１の背面１ａｂ側が互いに近づく向きに延部７ｂが枠部７ａに対して傾斜している。カバー体８は、平板状の枠部７ａの仮想垂線Ｖと平行な吊材５の他端５ｂ側を保持している。カバー体８は、カバー体８の枠部７ａ側で仮想垂線Ｖと平行な吊材５の他端５ｂ側を保持し取り付けるための取付金具９ｄを収容して覆うため、枠部７ａと略平行に枠部７ａと対向する位置側まで延びている。これにより、カバー体８は、吊材５の一端５ａや他端５ｂに曲げ荷重をかけることなくボディ体７を保持することができる。
【００１８】
図８に示す照明器具１１は、枠部７ａの中央部に開口孔７ａａを貫設している。そのため、照明器具１１では、床面側から器具本体６を視認者が視認した場合、開口孔７ａａを通して面発光モジュール１の背面１ａｂ側を視認することができる。照明器具１１は、開口孔７ａａを通して、白熱電球や蛍光灯などと比較して薄型の面発光モジュール１を強調することができる。照明器具１１は、図９に示す従来の照明器具１００と比較して、照明器具１１全体の薄型化を視認者に認識させることが可能となる。
【００１９】
しかしながら、照明器具１１では、吊材５の他端５ｂ側の取付金具９ｄが枠部７ａの周縁に配置されており、取付金具９ｄの分だけ取付金具９ｄを覆うカバー体８厚みが面発光モジュール１の厚みと比較して厚くなる傾向にある。照明器具１１は、視認者が床面側から斜め上方に器具本体６を視認した場合、開口孔７ａａを通して取付金具９ｄを覆うカバー体８の端面８ｄが視認されることがある。特に、取付部４側から枠部７ａの仮想垂線Ｖと平行な吊材５により器具本体６を吊持ちする場合、照明器具１１は、取付金具９ｄを覆うために、カバー体８の厚みが面発光モジュール１の厚みよりも厚くならざるを得ない。そのため、照明器具１１では、視認者が器具本体６を視認する角度によっては、開口孔７ａａを通して薄型の面発光モジュール１を強調することができず、照明器具１１全体の薄型化を視認者に認識させ難い場合がある。
【００２０】
本実施形態の照明器具１０では、カバー体８が面発光モジュール１の背面１ａｂ側に沿って延部７ｂと略平行に枠部７ａ側まで延びている。そのため、照明器具１０では、開口孔７ａａを通して面発光モジュール１の背面１ａｂ側を視認者が視認した場合、器具本体６を視認する角度によらず薄型の面発光モジュール１を強調することができ照明器具１０全体の薄型化を視認者に認識させることが可能となる。
【００２１】
また、本実施形態の照明器具１０は、ボディ体７とカバー体８とを嵌合させた状態で、開口孔７ａａ近傍において、カバー体８側とボディ体７側とが連続する傾斜面を構成するように設計している。言い換えれば、カバー体８は、ボディ体７側において、枠部７ａに対して傾斜する角度で当接している。本実施形態の照明器具１０では、カバー体８側とボディ体７側とが連続する傾斜面を構成するため、開口孔７ａａを通して外部から視認されるデザイン状の美観を損ねる恐れもなく、意匠としての見栄えを良くすることも可能となる。
【００２２】
さらに、本実施形態の照明器具１０では、カバー体８が面発光モジュール１の背面１ａｂ側に沿って延部７ｂと略平行に枠部７ａ側まで延びていることにより、開口孔７ａａを通して面発光モジュール１の背面１ａｂ側のカバー体８に沿う空気の流れを生じさせ易い。そのため、本実施形態の照明器具１０では、面発光モジュール１の背面１ａｂ側をより均一に冷却させることが可能となり、面発光モジュール１における面発光の均一性に寄与させることも可能となる。
【００２３】
以下、本実施形態の照明器具１０の各構成について、より詳細に説明する。
【００２４】
まず最初に、本実施形態の照明器具１０に用いられる面発光モジュール１について説明する。面発光モジュール１は、図６および図７に示すように、発光部２と、発光部２を着脱自在に保持するベース部３とを備えている。発光部２は、有機エレクトロルミネセンス素子たる発光体２０を備えている。また、発光部２は、発光体２０と一体とし、ベース部３側に設けられ発光体２０を点灯駆動させる回路基板３０と電気的に接続させるための配線基板２１を備えている。さらに、発光部２は、発光体２０および配線基板２１を収容するケースボディ２２とケースカバー２３とを備えている。なお、以下の説明では、図６および図７の紙面において、図６に示す両矢印に基づいて面発光モジュール１における上下左右前後の各方向を定めて説明する。
【００２５】
発光体２０は、平板状に形成された有機ＥＬ素子を用いている。有機ＥＬ素子は、たとえば、透光性を有する矩形の基板上に発光機能部が形成され、発光機能部の外側を封止材で被覆している。発光機能部は、図示していないが、透光性導電膜（たとえば、ＩＴＯ膜など）を用いた第１電極と、有機材料を用いた発光機能層と、光反射性を持たせた金属膜（たとえば、アルミニウム膜など）からなる第２電極とを順に積層して形成している。なお、有機ＥＬ素子は、基板、第１電極、発光機能層、第２電極や封止材の材料に、有機ＥＬ素子として適宜の材料を用いればよい。また、有機ＥＬ素子は、封止材上に銅板などから構成される均熱板を好適に設けてもよい。
【００２６】
配線基板２１は、ケースボディ２２と対向する上面に設けられる一対の端子部２１０，２１０を有している。また、配線基板２１には、発光体２０の電極(陽極及び陰極)を端子部２１０に接続するための導電パターン(図示せず)が形成されている。なお、配線基板２１は、両面に接着剤が塗布されたテープにより、発光体２０の非発光面(上面)側を貼り付けている。
【００２７】
ケースボディ２２は、全体として扁平な矩形箱状であって、上面における中央に凹所が設けられている。ケースボディ２２は、ケースボディ２２の上面における左端部に、一対の第１係合部２２０，２２０を設けている。また、ケースボディ２２は、ケースボディ２２の上面における右端部に、第２係合部２２１を設けている。さらに、ケースボディ２２は、ケースボディ２２の上面における右端部に、第２係合部２２１の前方及び後方にそれぞれ矩形の貫通孔２２２，２２２を設けている。第１係合部２２０は、ケースボディ２２の上面より上向き及び左向きに突出する鈎形に形成されている。第２係合部２２１は、ケースボディ２２の上面より上向き及び右向きに突出する鈎形に形成されている。
【００２８】
ケースカバー２３は、透光性を有する合成樹脂材料により、上面に開口する扁平な矩形箱状に形成されている。ケースカバー２３は、発光体２０の発光面と対向する矩形の底板２３０と、底板２３０の周縁から上向きに立ち上がる側壁２３１とが一体に形成されてなる。また、ケースカバー２３は、各側壁２３１の外側面に、それぞれ２つの係合突起２３２，２３２が突設されている。
【００２９】
ケースボディ２２は、ケースボディ２２の側壁の内周面に、ケースカバー２３の各係合突起２３２と係合する係合溝(図示せず)が係合突起２３２に対応して設けられている。そして、発光部２は、発光体２０と配線基板２１とが底板２３０上に載置されたケースカバー２３に、上方からケースボディ２２を被せて形成する。発光部２は、ケースボディ２２の係合溝とケースカバー２３の係合突起２３２とが係合することで、ケースボディ２２とケースカバー２３とが結合される。ここで、発光部２では、ケースボディ２２に設けられている貫通孔２２２に、配線基板２１の端子部２１０の一部(上向きに突出する板状の部分)が挿通される。
【００３０】
ベース部３は、回路基板３０と、回路基板３０を収容するハウジング３１と、ハウジング３１に収容した回路基板３０を保護する保護カバー３３とを備えている。また、ベース部３は、回路基板３０側と、発光部２の配線基板２１側とを電気的に接続させる端子受け部３２を備えている。回路基板３０は、外部から供給される調光信号に応じて発光体２０への直流電力の供給量を調整するための回路を構成する電子部品、外部から給電させるための給電用コネクタ３００や調光信号が入力される信号入力用コネクタ３０１が実装されている。なお、ベース部３は、上記電子部品と給電用コネクタ３００と信号入力用コネクタ３０１とが回路基板３０の表面に形成される導電パターン(図示せず)によって電気的に接続されている。したがって、回路基板３０は、発光体２０側に直流電力を適宜に供給することができる。
【００３１】
端子受け部３２は、帯状の金属板を屈曲して形成されている。端子受け部３２は、一方の端部(左端部)で回路基板３０に固定され、他方の端部(右端部)がケースボディ２２の貫通孔２２２に挿通された配線基板２１の端子部２１０の一部と接触導通する。端子受け部３２は、貫通孔２２２を挿通した板状の端子部２１０の一部を挟持可能なクリップ形状に他方の端部を構成している。すなわち、回路基板３０に実装された上記電子部品は、端子受け部３２と端子部２１０を介して発光体２０と電気的に接続される。
【００３２】
ハウジング３１は、全体が矩形平板状に形成され、回路基板３０が収納される凹所３１０が中央に設けられている。また、ハウジング３１は、ハウジング３１の右端部にケースボディ２２の貫通孔２２２から突出する端子部２１０の一部がそれぞれ挿通される一対の孔３１１，３１１が設けられている。さらに、ハウジング３１は、ハウジング３１の左端部の下面側に、ケースボディ２２の一対の第１係合部２２０，２２０と各別に係合する一対の第１被係合部(図示せず)が設けられている。第１被係合部は、たとえば、ハウジング３１に対してスライド可能に取付けられており、バネなどの付勢機構によって、ベース部３の中央方向に付勢する機能を備えたものとすることもできる。また、ハウジング３１は、ハウジング３１の右端部の下面側に、ケースボディ２２の第２係合部２２１と係合する第２被係合部３１２が設けられている。回路基板３０は、ハウジング３１の凹所３１０内に収納され、回路基板３０を貫通する螺子３０ａとハウジング３１の螺子孔３１３とが螺子合いすることでハウジング３１側に固定される。保護カバー３３は、矩形板状に形成されており、凹所３１０内に収納された回路基板３０を覆うようにハウジング３１の上面に固定される。
【００３３】
次に、面発光モジュール１における発光部２とベース部３との装着方法を、図７を用いて説明する。なお、ベース部３は、図示していないが予め照明器具１０における器具本体６のカバー体８に取り付けられている。
【００３４】
まず、面発光モジュール１は、第１係合部２２０と、ベース部３の上記第１被係合部とを係合させた後、ベース部３に対して発光部２が外向き(左向き)にスライド移動させられる。続いて、面発光モジュール１では、第１係合部２２０を支点として、ケースボディ２２の第２係合部２２１とハウジング３１の第２被係合部３１２とが左右方向に対向する位置まで、発光部２がベース部３に近付く向き（図７の円弧状の矢印Ａの向きを参照）に回動させられる。そして、面発光モジュール１では、発光部２に対して左向きに加えられていた押力が除かれると、第１係合部２２０などの弾性力で発光部２が内向き(右向き)にスライド移動し、第２係合部２２１と第２被係合部３１２とが係合する。発光部２は、第１係合部２２０や第２係合部２２１などの弾性力によってベース部３に保持される。なお、面発光モジュール１は、発光部２が外向きにスライド移動されて第２係合部２２１と第２被係合部３１２との係合が外れれば、ベース部３から発光部２が取り外し可能としている。すなわち、面発光モジュール１は、有機ＥＬ素子を用いた発光体２０を有する発光部２と、器具本体６側に固定され且つ発光部２を着脱自在に保持するベース部３とを有している。
【００３５】
次に、本実施形態の照明器具１０に用いられる取付部４について説明する。取付部４は、構造物の天井側に取り付け可能なものである。また、取付部４は、吊材５の一端５ａ側を保持し吊材５で器具本体６を吊持ち可能なものである。器具本体６は、複数個(ここでは、４個)の面発光モジュール１を備えている。取付部４は、有底円筒状の筒状部４ａと、矩形状の平板部４ｂとを有している。平板部４ｂは、平面視において、各辺の長さを筒状部４ａの外径よりも大きい大きさとしている。取付部４は、有底円筒状の筒状部４ａの開口端を封止するように矩形状の平板部４ｂが筒状部４ａに固定されている。取付部４は、天井側に設置した状態では、天井材Ｃの貫設孔Ｃ１に有底円筒状の筒状部４ａを収容させ、平板部４ｂを貫設孔Ｃ１の周部の天井材Ｃに当接している。
【００３６】
取付部４は、内部に、天井材Ｃの裏面側（図１の紙面の上側）で図示していない電源ユニットから延びる電源コードのコネクタと電気的に接続させるコネクタ１２を内蔵している。なお、電源ユニットは、コネクタ１２と電気的に接続させ面発光モジュール１に給電可能なものであり、天井材Ｃの裏面側に配置している。取付部４は、平板部４ｂと対向する筒状部４ａの底面側に一対の電源コード用孔４ａｂ，４ａｂを設けている（図４を参照）。取付部４は、一方の電源コード用孔４ａｂに、上記電源ユニットからの電源コードを挿入し電源コードのコネクタとコネクタ１２とを電気的に接続させることができるように構成している。また、取付部４は、他方の電源コード用孔４ａｂに、隣接する別の照明器具１０の取付部４側へ送り配線を行う中継ケーブルを挿入し、中継ケーブルのコネクタとコネクタ（図示していない）とを電気的に接続させることができるように構成している。すなわち、取付部４には、上記電源ユニットと電気的に接続させるコネクタ１２と、隣接する別の照明器具１０側に給電する送り配線と電気的に接続させるコネクタとを設けている。
【００３７】
さらに、取付部４は、平板部４ｂの中央部に貫設させた通線用孔４ｂａの周りに等間隔で複数個（ここでは、４個）のワイヤーグリップからなる保持具９ａを設けている（図５を参照）。なお、通線用孔４ｂａには、コネクタ１２と電気的に接続され器具本体６側の各面発光モジュール１の各々に給電する電源ケーブル１２ａを挿通させている。電源ケーブル１２ａは、器具本体６に貫設させた貫設孔（図示していない）を通して面発光モジュール１の各々と電気的に接続可能に構成している。保持具９ａは、たとえば、平板部４ｂに貫設した穴に、雄螺子を設けた端部を挿通し六角ナット（図示していない）などで平板部４ｂに固定することができる。保持具９ａは、内部のボールベアリングを利用した金具が回転自在としている。保持具９ａは、吊材５の一端５ａ側を金具に固定している。保持具９ａは、吊材５の一端５ａ側を固定する金具が回転自在としていることにより、吊材５に曲げ荷重がかかることを抑制し傾斜吊ができるように構成している。取付部４は、保持具９ａを利用して吊材５を傾斜吊して器具本体６を吊持ちしている。そのため、本実施形態の照明器具１０は、図８に示す照明器具１１と比較して、取付部４の大きさを小さくすることができる。
【００３８】
取付部４は、筒状部４ａの外形形状を有底円筒状としているが、これに限られず、角筒形状や楕円筒形状としてもよい。取付部４は、筒状部４ａの開口を閉塞するように固定され筒状部４ａの外形から突出する平板部４ｂの一部が天井材Ｃと当接する鍔部としても機能する。平板部４ｂは、矩形状だけに限られず、円形状や多角形形状など所望に応じて種々の形状に形成させてもよい。なお、取付部４は、複数個（ここでは、４個）の螺子４ｃにより筒状部４ａと平板部４ｂとが螺子合いして固定されている。取付部４は、筒状部４ａと平板部４ｂとを別体に形成させる場合だけでなく、一体に形成させてもよい。取付部４は、たとえば、合成樹脂材料や、合成樹脂材料と比較して熱伝導性に優れた金属（たとえば、アルミニウム、銅やステンレスなど）材料を用いて形成することができる。取付部４は、たとえば、金属製の板材を押圧加工することにより比較的簡単に形成することができる。金属製の取付部４は、図示していない電源ユニットを内部に収容した場合であっても、上記電源ユニットで発生した熱を外部へ効率よく放熱することが可能となる。
【００３９】
照明器具１０は、たとえば、取付部４の筒状部４ａを天井材Ｃの貫設孔Ｃ１に挿入し平板部４ｂの一部を天井材Ｃに当接した状態で、図示していない固定螺子により、天井材に取付部４を固定できるように構成している。照明器具１０は、取付部４を固定させるには、固定螺子だけに限られない。
【００４０】
吊材５は、一端５ａが取付部４側に保持され、他端５ｂで器具本体６を吊持ち可能なものである。本実施形態の照明器具１０では、金属製の吊材５として、たとえば、ステンレスワイヤーを用いることができる。吊材５は、吊持ちする器具本体６の大きさ、重量や形状に合わせて種々選択すればよい。本実施形態の照明器具１０では、吊材５が内部にボールベアリングを有して回転可能に一端５ａ側を保持しているので、吊材５と枠部７ａの仮想垂線Ｖとが傾斜した状態であっても、吊材５の一端５ａ側が損傷することを抑制することができる。また、本実施形態の照明器具１０では、吊材５と枠部７ａの仮想垂線Ｖとが傾斜し枠部７ａから離れた位置に、吊材５を保持し取付けられる取付具９ｂを備えている。なお、本実施形態の照明器具１０では、螺子８１を利用して、取付具９ｂをカバー体８側に保持させている。そのため、本実施形態の照明器具１０では、視認者が床面側から斜め上方に器具本体６を視認した場合でも、開口孔７ａａから見え難い位置に取付具９ｂを配置することもできる。
【００４１】
器具本体６は、ボディ体７とカバー体８とで面発光モジュール１を保持している。
【００４２】
ボディ体７は、平面視において、中央に矩形状の枠部７ａと枠部７ａの周縁である各辺に沿って枠部７ａの一辺と同じ大きさの矩形の延部７ｂを備えている。本実施形態の照明器具１０では、ボディ体７が矩形状の枠部７ａを中心として枠部７ａの周りに４つの延部７ｂを一体的に備えている。言い換えれば、ボディ体７は、平面視において、全体として十字状の形状としている。ボディ体７は、延部７ｂの中央部にそれぞれ矩形状の貫通孔７ｂａを貫設させており、貫通孔７ｂａを塞ぐように面発光モジュール１の発光面１ａａを配置させる。貫通孔７ｂａは、面発光モジュール１の発光面１ａａの形状と略一致させ、面発光モジュール１よりも小さい矩形形状としている。ボディ体７は、面発光モジュール１の発光面１ａａと反対の背面１ａｂ側が互いに近づく向きに延部７ｂが枠部７ａに対して傾斜している。
【００４３】
延部７ｂには、貫通孔７ｂａの周りに沿って立設され、面発光モジュール１の外周を覆う周壁部（図示していない）を有している。言い換えれば、延部７ｂは、カバー体８側に対して開口した箱形状となっており、内部に面発光モジュール１を収容可能となっている。また、延部７ｂは、貫通孔７ｂａを塞ぐように透光性パネル（図示していない）を設けてもよいし、設けなくともよい。透光性パネルは、たとえば、透光性材料（たとえば、シリコーン樹脂、アクリル樹脂、ガラスなど）により形成することができる。照明器具１０は、透光性パネルを介して面発光モジュール１からの光を外部に放射させてもよい。なお、透光性パネルは、平板状の形状でもよいし面発光モジュール１からの光を集光させたり拡散させるためレンズ形状としてもよい。また、ボディ体７は、ボディ体７の材料として、たとえば、ＡＢＳ樹脂などの樹脂材料や樹脂材料よりも熱伝導性に優れた金属材料（たとえば、ステンレスやアルミニウム）などを適宜に用いることができる。
【００４４】
カバー体８は、ボディ体７側が開口した箱状に形成されており、面発光モジュール１の背面１ａｂ側を覆う平部８ａと、平部８ａの外周縁から立設される側壁８ｂとを有している。カバー体８は、平部８ａと側壁８ｂとが一体に形成されている。側壁８ｂは、側壁８ｂの内周面が面発光モジュール１の外周に適合する周壁部７ｃを囲むように形成されている。カバー体８は、周壁部７ｃを覆うだけで面発光モジュール１の位置決めを容易に行なうことが可能となる。カバー体８は、カバー体８の側壁８ｂとボディ体７の延部７ｂから立設する周壁部７ｃとを複数の螺子部８２により固定している。なお、カバー体８は、カバー体８の材料として、たとえば、ＡＢＳ樹脂などの樹脂材料や樹脂材料よりも熱伝導性に優れた金属材料（たとえば、ステンレスやアルミニウム）などを適宜に用いることができる。
【００４５】
カバー体８は、図示していない螺子などにより、カバー体８の平部８ａ側に面発光モジュール１のベース部３を固定している。本実施形態の照明器具１０では、カバー体８側に面発光モジュール１を装着した状態でボディ体７とカバー体８との間に面発光モジュール１を収納可能としている。そして、カバー体８は、螺子部８２によりカバー体８の側壁８ｂをボディ体７の延部７ｂにおける周壁部７ｃに螺子止めしている。
【００４６】
照明器具１０は、周壁部７ｃがカバー体８の側壁８ｂの内周面と当接可能なように設計しているので、カバー体８側にベース部３が固定された面発光モジュール１を、ボディ体７側に嵌め込まむだけで位置決めをすることができる。そのため、照明器具１０は、組み立て作業を効率化することができる。また、本実施形態の照明器具１０は、カバー体８がカバー体８の枠部７ａ側に側壁８ｂを設けていない。そのため、カバー体８は、カバー体８に固定されたベース部３に発光部２を脱着する際、ベース部３に対して発光部２をスライド可能としている。本実施形態の照明器具１０は、カバー体８に固定されたベース部３から発光部２を比較的容易に脱着させ、面発光モジュール１の発光部２の交換作業も行い易くすることができる。
【００４７】
なお、照明器具１０は、たとえば、ボディ体７とカバー体８との間に面発光モジュール１を配置できればよく、面発光モジュール１の厚みよりもボディ体７とカバー体８との間の空間の大きさを僅かに大きく設定すればよい。照明器具１０は、面発光モジュール１の厚みが薄いことを強調するため、ボディ体７とカバー体８との間の空間の大きさはできるだけ小さい方が好ましいが、ボディ体７とカバー体８との間に面発光モジュール１との間隔を埋めるためのスペーサなどを設けてもよい。照明器具１０は、器具本体６を構成するカバー体８およびボディ体７の形状を照明器具１０の用途や面発光モジュール１の形状に対応して、任意の形状とすることができる。
【符号の説明】
【００４８】
Ｃ  天井材
Ｖ  仮想垂線
１  面発光モジュール
１ａａ  発光面
１ａｂ  背面
２  発光部
３  ベース部
４  取付部
５  吊材
５ａ  一端
５ｂ  他端
６  器具本体
７  ボディ体
７ａ  枠部
７ｂ  延部
７ａａ  開口孔
７ｂａ  貫通孔
８  カバー体
１０  照明器具
【図１】
0005891400.tif 000002
【図２】
0005891400.tif 000003
【図３】
0005891400.tif 000004
【図４】
0005891400.tif 000005
【図５】
0005891400.tif 000006
【図６】
0005891400.tif 000007
【図７】
0005891400.tif 000008
【図８】
0005891400.tif 000009
【図９】
0005891400.tif 000010